(57)【特許請求の範囲】
【請求項１】
長手方向の一端である先端部に、検体である糞便を採取する採取部が設けられた本体部と、
前記本体部の長手方向において前記先端部とは反対側の基端部に指先を固定する指先固定部とを備え、
前記指先固定部は、前記指先が挿通されるリングであり、
前記リングは、前記本体部とは別体であり、
前記リングは、前記基端部と前記指先を含む指の両方を挿通可能な口径を有しており、
前記基端部と前記指が挿通された状態で、前記指と前記リングの間に発生する摩擦力と、前記基端部と前記リングの間に発生する摩擦力の作用で、前記リングが前記基端部に保持される採便用具。
【請求項２】
前記本体部は、前記検体が懸濁される希釈液が貯留された検体容器に収容可能であって、
前記検体容器は、前記本体部が挿入される挿入口を有しており、 
前記本体部の基端には、前記本体部を前記検体容器に収容した状態で、前記検体容器の挿入口を閉じるキャップが設けられている請求項１に記載の採便用具。
【請求項３】
前記本体部は、外力が加わっていない状態では長手方向に真っ直ぐに伸びるストレート形状である請求項１または２に記載の採便用具。
【請求項４】
前記本体部は、可撓性を有している請求項１〜３のいずれか１項に記載の採便用具。
【請求項５】
前記本体部において、前記採取部と前記基端部の間に、他の部分よりも高い可撓性を有する屈曲部が設けられている請求項４に記載の採便用具。
【発明の詳細な説明】
【技術分野】
【０００１】
本発明は、採便用具に関するものである。
【背景技術】
【０００２】
大腸からの出血を検査するための便潜血検査が知られている。便潜血検査において、糞便の一部が検体となるが、検体は、排泄された糞便の表面からまんべんなく、すなわち、広い範囲から採取されることが好ましい。というのも、大腸からの出血は、糞便の表面に最も付着すると考えられるからである。【０００３】
糞便の表面から検体を採取するための採便用具として、例えば、長手方向に延びる棒状の本体部の先端に採取部が設けられた採便用具が知られている（特許文献１）。このような採便用具は、細長い棒で構成される場合が多いことから、採便棒などとも呼ばれる。こうした採便用具において、長手方向の一端である先端部には採取部が設けられている。採取部は、糞便が付着しやすいように、例えば、外周面に複数の溝が形成されており、複数の溝と突条部とを有する凹凸状となっている。長手方向において、先端部と反対側の基端部は、把持部となっている。この把持部が、親指と人差し指などの複数の指で摘まれることで、採便用具が手に保持される。また、本体部は可撓性を有している。【０００４】
採便に際しては、基端側の把持部が複数の指で把持されて、先端側の採取部を糞便の表面に接触させる。この状態で、本体部を撓ませることで、採取部の軸方向と糞便の表面とを平行に近い状態にすることができ、採取部の接触面積を大きくとることができる。この状態で基端側の把持部を持つ手を移動させると、糞便の表面の広い範囲に渡って採取部が移動する。これにより、糞便の表面の広い範囲に渡る検体が採取される。
【先行技術文献】
【特許文献】
【０００５】
【特許文献１】特開２０１１−０５９０５２号公報
【発明の概要】
【発明が解決しようとする課題】
【０００６】
しかしながら、特許文献１に記載の採便用具のように、把持部を複数の指で摘むようにして採便用具が保持される形態であるため、採便用具を動かすためには、手首や肘の動きが必ず必要になり、例えば、指の動きだけで採便用具を動かすことができない。また、複数の指で把持部を摘んで採便用具を保持する方法では、手のひらや手の甲が糞便に接近するため、心理的な抵抗を大きく感じる被検者（ユーザ）も多い。本体部の長さを長くすれば、糞便からの距離が遠くなるため、心理的な抵抗を減らすことができるが、そうすると、操作性が悪化する。【０００７】
本発明は、手首や肘を動かさなくても採便用具を動かすことが可能で、かつ、複数の指で把持する場合と比較して、手のひらや手の甲を糞便から遠ざけることが可能な採便用具を提供することを目的とする。
【課題を解決するための手段】
【０００８】
本発明の採便用具は、長手方向の一端である先端部に、検体である糞便を採取する採取部が設けられた本体部と、本体部の長手方向において先端部とは反対側の基端部に指先を固定する指先固定部とを備える。【０００９】
指先固定部は、指先を挿入可能な指サックであることが好ましい。【００１０】
指サックは、指先の挿入方向と本体部の長手方向が平行になるように設けられることが好ましい。【００１１】
指先固定部は、指先が挿通されるリングであることが好ましい。【００１２】
リングは、本体部とは別体であり、リングは、基端部と指先を含む指の両方を挿通可能な口径を有しており、基端部と指が挿通された状態で、指とリングの間に発生する摩擦力と、基端部とリングの間に発生する摩擦力の作用で、リングが基端部に保持されることが好ましい。【００１３】
本体部は、検体が懸濁される希釈液が貯留された検体容器に収容可能であって、検体容器は、本体部が挿入される挿入口を有しており、本体部の基端には、本体部を検体容器に収容した状態で、検体容器の挿入口を閉じるキャップが設けられていることが好ましい。【００１４】
指先固定部は、キャップに設けられていることが好ましい。【００１５】
本体部は、外力が加わっていない状態では長手方向に真っ直ぐに伸びるストレート形状であることが好ましい。【００１６】
本体部は、可撓性を有していることが好ましい。【００１７】
本体部において、採取部と基端部の間に、他の部分よりも高い可撓性を有する屈曲部が設けられている。
【発明の効果】
【００１８】
本発明によれば、手首や肘を動かさなくても採便用具を動かすことが可能で、かつ、採便用具を複数の指で把持する場合と比較して、手のひらや手の甲を糞便から遠ざけることができる。
【図面の簡単な説明】
【００１９】
【図１】本発明の採便用具の外観図である。
【図２】採便用具と検体容器で構成される採便キットの説明図である。
【図３】採便用具の使用例を示す説明図である。
【図４】採便用具の別の使用例を示す説明図である。
【図５】第２実施形態の採便用具の説明図である。
【図６】第２実施形態の採便用具の使用例を示す説明図である。
【図７】第３実施形態の採便用具の説明図である。
【図８】第４実施形態の採便用具の説明図である。
【図９】第４実施形態の採便用具の変形例の説明図である。
【図１０】第４実施形態の採便用具の別の変形例の説明図である。
【図１１】図９に示す採便用具の保持方法の説明図である。
【発明を実施するための形態】
【００２０】
［第１実施形態］
図１に示す採便用具１０は、検体となる糞便の採取に使用される。採便用具１０は、本体部１１と、指先固定部１２とを備えている。本体部１１は、長手方向（軸方向）に延びる棒状体であり、長手方向の一端である先端部１１Ａには、採取部１１Ｂが設けられている。採取部１１Ｂは、糞便の表面に接触させて糞便を付着させる部位である。採取部１１Ｂには、例えば、外周面に軸回りの周方向に沿って複数の溝が形成されて、表面が凹凸形状をしている。
【００２１】
ここで、棒状体とは、長手方向と直交する断面の断面形状が円形や楕円形のものの他、四角形や六角形などの多角形のものを含む。本例の本体部１１は、断面形状が円形の棒状体である。本体部１１は、例えば、プラスチックで形成されている。本体部１１は、外力が加えられていない状態では、長手方向に直線的に延びるストレート形状であり、外力が加わると撓んで屈曲する可撓性を有することが好ましい。なお、本体部１１としては、棒状体に限らず、例えばヘラのような平板状の細長い板で構成してもよい。
【００２２】
本体部１１には、長手方向において先端部１１Ａとは反対側の基端部１１Ｃに、指先固定部１２が設けられている。指先固定部１２は、例えば、人差し指の指先６０Ａが挿入可能な指挿入部１２Ａと、指先固定部１２を本体部１１の基端部１１Ｃに着脱自在に取り付けるための取付部１２Ｂとを有している。ここで、指先６０Ａとは、おおよそ、指の第１関節までの部分をいう。
【００２３】
指挿入部１２Ａは、本例では、指先６０Ａを挿入可能な有底の袋状をした指サックである。指サックは、指先６０Ａの全周を覆うことができるため、指先６０Ａをしっかりと保持することができる。指挿入部１２Ａの深さとしては、より具体的には、指先６０Ａから指の第２関節に達しない範囲を挿入できる程度の深さであることが好ましい。というのも、指挿入部１２Ａ内に指の第２関節が挿入されなければ、第２関節の動きが制約されずに、第２関節を使用して指を動かすことが可能となり、その指の動きを通じて本体部１１を動かすことができるためである。
【００２４】
取付部１２Ｂは、基端部１１Ｃを挿通可能な口径を有する円筒状をしている。取付部１２Ｂに基端部１１Ｃを挿通することで、指先固定部１２が基端部１１Ｃに取り付けられる。指先固定部１２は、本体部１１に対して着脱自在である。指先固定部１２は、ゴムやプラスチックで形成される。
【００２５】
本例では、指先固定部１２は、指挿入部１２Ａに対する指先６０Ａの挿入方向と、本体部１１の長手方向が平行になるように設けられている。具体的には、指挿入部１２Ａに対する指先６０Ａの挿入方向と、取付部１２Ｂに対する基端部１１Ｃの挿入方向とが平行になっている。ここで、長手方向と挿入方向が平行とは、プラスマイナス１０°程度の誤差が許容される略平行を含む概念である。
【００２６】
指先固定部１２は、ユーザの手６０の指先６０Ａを基端部１１Ｃに固定するためのものである。指先６０Ａが基端部１１Ｃに固定されることで、採便用具１０を、指先６０Ａを含む指で保持することが可能となり、また、基端部１１Ｃを基点として、指で採取部１１Ｂを動かすことが可能となる。
【００２７】
図２に示すように、採便用具１０は、例えば、検体を収容する検体容器１６とのセットで検体採取キットを構成する。検体容器１６は、容器本体１７と、キャップ１８とを備えている。容器本体１７は、細長の筒状の容器である。容器本体１７は、長手方向において、採便用具１０の本体部１１を収容可能な十分な長さを持つ。
【００２８】
容器本体１７は、例えば、透明なプラスチックで形成されており、かつ、内筒２１と外筒２２の二重構造になっている。本例では、外筒２２の長手方向と直交する方向の断面形状は略長方形状であり、内筒２１の断面形状は円形である。内筒２１の内部には、検体である糞便が懸濁される希釈液が貯留される。容器本体１７の長手方向の一方の端面には、採便用具１０の本体部１１が挿入される挿入口１７Ａが形成されている。
【００２９】
キャップ１８は、挿入口１７Ａを閉じるキャップである。キャップ１８は、把持部１８Ａと栓部１８Ｂとを備えている。把持部１８Ａは、外筒２２の外形と同様に断面形状が長方形状をしている。栓部１８Ｂは、内筒２１と同様に、円筒形状をしている。栓部１８Ｂは、挿入口１７Ａから内筒２１内に進入して、内筒２１と嵌合して、挿入口１７Ａを水密に閉じる。
【００３０】
本体部１１の基端部１１Ｃから指先固定部１２を取り外した状態で、栓部１８Ｂを基端部１１Ｃに嵌合させると、本体部１１とキャップ１８が結合する。本体部１１は、キャップ１８が結合された状態で、先端部１１Ａ側から挿入口１７Ａを通じて、内筒２１内に挿入されて、容器本体１７に収容される。
【００３１】
キャップ１８は、弾性を有している。栓部１８Ｂの外径は、内筒２１の内径よりも僅かに大きく形成されている。栓部１８Ｂは外周を収縮させながら内筒２１内に圧入されて内筒２１と嵌合する。この嵌合により、キャップ１８が容器本体１７に固定され、挿入口１７Ａが水密に封止される。なお、栓部１８Ｂの形態としては、例えば、外周に渦巻き状に巻き付く形態の突条部を有する形態でもよい。この場合には、突条部を圧縮するように、栓部１８Ｂが内筒２１に圧入されて、挿入口１７Ａが水密に封止される。
【００３２】
本例では、キャップ１８に把持部１８Ａを設けているが、把持部１８Ａを設けなくても、栓部１８Ｂによって挿入口１７Ａの封止が可能である。把持部１８Ａを設けない場合は、栓部１８Ｂ単体がキャップに相当する。
【００３３】
もちろん、栓部１８Ｂが挿入口１７Ａを封止する機能を備えていることに加えて、把持部１８Ａに挿入口１７Ａの周囲を水密に覆う機能を持たせてもよい。
【００３４】
また、内筒２１の内部には、擦り切り部２６が設けられている。擦り切り部２６は、採取部１１Ｂに付着した余分な糞便４１を除去する。擦り切り部２６は、例えば、採取部１１Ｂの挿入方向において、挿入方向手前側の開口径が広く、奥側の開口径が狭くなる円錐形状をしている。擦り切り部２６には、採取部１１Ｂが挿通される。擦り切り部２６は、採取部１１Ｂの周面に付着した余分な糞便４１を削ぎ落とす。
【００３５】
また、図２において、擦り切り部２６よりも下方に、希釈液が貯留される。擦り切り部２６を挿通した採取部１１Ｂは、希釈液に浸漬される。希釈液は、浸漬された採取部１１Ｂから検体が懸濁されて懸濁液となる。擦り切り部２６の奥側の開口は非常に狭いため、奥側の開口においては希釈液の表面に表面張力が作用する。これにより、擦り切り部２６は、いわば、希釈液の逆流を防止する逆止弁のような役割を担う。
【００３６】
以下、上記構成による作用について図３を参照しながら説明する。採便を行う準備として、まず、便器３１に糞便４１が排泄される。この後、ユーザは、採便用具１０の指先固定部１２に手６０の指先６０Ａを挿入する。これにより、本体部１１の基端部１１Ｃに指先６０Ａが固定される。ユーザは、この状態で、本体部１１を動かして、本体部１１の採取部１１Ｂを糞便４１に接触させて検体を採取する。
【００３７】
具体的には、ユーザは、採取部１１Ｂを糞便４１の表面に擦りつけて、糞便４１の一部を採取部１１Ｂに付着させる。糞便４１の表面部分には大腸からの出血が最も付着すると考えられる。そのため、採便に当たっては、糞便４１の表面の広い範囲に渡って採取部１１Ｂを接触させて、広い範囲から検体となる糞便４１を採取部１１Ｂに付着させることが好ましい。
【００３８】
採便用具１０の保持方法としては、図３に示すように、ユーザから見て、指先固定部１２よりも本体部１１が手前に位置する位置関係で採便用具１０を保持してもよい。また、図３に示す位置関係とは逆に、図４に示すように、ユーザから見て、本体部１１よりも指先固定部１２が手前に位置する位置関係で採便用具１０を保持することも可能である。
【００３９】
例えば、図３のように保持すると、指を伸ばした状態から、指先６０Ａを手のひらに向けて屈曲させる動きをすれば、本体部１１が基端部１１Ｃを基点に反時計方向に回転する。これにより、採取部１１Ｂを糞便４１の表面に接触させた状態で、ユーザから見て前方から手前に向けて（図３においては左側から右側に）動かすことができる。
【００４０】
一方、図４のように保持すると、指を曲げた状態から、指先６０Ａを伸ばす動きをすれば、本体部１１が基端部１１Ｃを基点に時計方向に回転する。これにより、採取部１１Ｂを糞便４１の表面に接触させた状態で、ユーザから見て手間から前方に向けて（図４においては右側から左側に）動かすことができる。
【００４１】
このように、指先固定部１２を備えた採便用具１０によれば、指を屈伸させる動きだけで、糞便４１の表面の広い範囲に渡って採取部１１Ｂを擦りつけることが可能となり、糞便４１の表面の広い範囲から検体となる糞便４１を採取することができる。
【００４２】
このような採便が行われた後、図２に示すように、本体部１１から指先固定部１２が取り外されて、代わりに本体部１１にはキャップ１８が取り付けられる。そして、採取部１１Ｂを含む本体部１１が挿入口１７Ａから容器本体１７に挿入される。これにより、採取部１１Ｂが希釈液に浸漬される。キャップ１８を締めることにより挿入口１７Ａが閉じられる。このように採取された検体は、容器本体１７毎、検体分析のために、病院などの検査機関に提出される。
【００４３】
本体部１１は外力が加わっていない状態では長手方向に真っ直ぐに伸びるストレート形状であるため、本体部１１を容器本体１７に挿入しやすい。また、本体部１１は可撓性を有しているため、本体部１１を撓ませることで採取部１１Ｂと糞便４１の表面との接触面積を大きくできる。
【００４４】
以上説明したとおり、本例の採便用具１０を用いると、手首や肘を動かさなくても、手６０の指の動きだけで、基端部１１Ｃを基点に採便用具１０を動かすことが可能になる。もちろん、指の動きに加えて、手首や肘の動きを組み合わせることで、従来よりも採便用具１０の姿勢を変化させる自由度が大きくなる。
【００４５】
上述のとおり、検体としては、糞便４１の表面部分が好ましく、糞便４１の表面部分を採取するには、採取部１１Ｂの表面と糞便４１の表面とはできるだけ平行な姿勢で接触させることが好ましい。
【００４６】
図３、図４に示すように、便器３１は、一般にすり鉢状をしており、排泄された糞便４１は、すり鉢状の便器３１の底部にある。そのため、採便時には、便器３１の上方の開口部から糞便４１にアプローチせざるを得ず、横方向から糞便４１にアプローチすることはできない。このように、糞便４１に対するアプローチできる方向が限定される状況において、採便用具１０の姿勢を変化させる自由度が小さいと、採取部１１Ｂの表面と糞便４１の表面とを平行にして接触させにくい。本例の採便用具１０は、指の動きを使えるため、採便用具１０の姿勢を変化させる自由度が大きい。そのため、糞便４１にアプローチする方向が限定される状況でも、採取部１１Ｂを糞便４１の表面に適切な姿勢で接触させやすい。
【００４７】
また、指先６０Ａを基端部１１Ｃに固定できるため、複数本の指で基端部１１Ｃを把持する従来技術と比較して、手のひらや手の甲を糞便４１から遠ざけることが可能となる。複数の指で基端部１１Ｃを把持すると、手のひらや手の甲が糞便に接近するため、採便に際しての心理的な抵抗を大きく感じるユーザも多い。本例の採便用具１０は、指先固定部１２の作用により、糞便４１と手のひらや手の甲との間の距離が遠くなる。そのため、ユーザの採便に際しての心理的な抵抗を減らすことができる。
【００４８】
また、糞便４１と手のひらや手の甲との距離を遠くする方法としては、本体部１１の長さを長くする方法が考えられる。しかし、本体部１１の長さを長くすると、基端部１１Ｃの僅かな動きで採取部１１Ｂが大きく動くことになるため、操作性が悪化する。本例によれば、本体部１１を長くすることによる操作性の悪化を避けつつ、ユーザの心理的な抵抗を減らすことができる。
【００４９】
また、本例では、指先固定部１２は、指挿入部１２Ａに対する指先６０Ａの挿入方向と、本体部１１の長手方向が平行になるように設けられている。これにより、指先固定部１２に指先６０Ａを固定した状態では、指先６０Ａが指し示す方向に採取部１１Ｂが位置することになる。そのため、採取部１１Ｂの位置を感覚的に掴みやすく、操作性が良好である。
【００５０】
「第２実施形態」
図５に示す第２実施形態の採便用具１１０は、本体部１１に屈曲部１１Ｄを設けた形態である。屈曲部１１Ｄは、本体部１１において、採取部１１Ｂと基端部１１Ｃの間に設けられている。屈曲部１１Ｄは、本体部１１において、屈曲部１１Ｄ以外の部位と比較して高い可撓性を有しており、撓みやすく屈曲しやすい部位である。屈曲部１１Ｄは、例えば、本体部１１の他の部位よりも細径にすることで形成される。第２実施形態の採便用具１１０において、屈曲部１１Ｄが設けられていること以外は、第１実施形態と同様であり、同じ部位については同一の符合を付して説明を省略する。
【００５１】
本体部１１は全体的に可撓性を有しているが、屈曲部１１Ｄは他の部位と比較して可撓性が高く屈曲しやすい。そのため、採便用具１１０を用いて採便する場合において、例えば、図６に示すように、先端部１１Ａを糞便４１の表面に接触させた状態で、基端部１１Ｃに対して、本体部１１を撓ませる方向に力を加えると、屈曲部１１Ｄが屈曲する。これにより、採取部１１Ｂの表面を糞便４１の表面に対して平行に接触させることができる。このように、屈曲部１１Ｄを設けることで、本体部１１が決まった位置で屈曲することになるため、ユーザは本体部１１がどのように変化するかを予見しやすく、どこが屈曲するかわからない場合に比べて操作性がよい。
【００５２】
なお、屈曲部１１Ｄの形成方法としては、本体部１１の他の部位よりも径を細くする方法に限らず、他の部位と比較して柔軟な部材を用いるなど、材料を変更して形成する方法でもよい。
【００５３】
「第３実施形態」
図７に示す第２実施形態の採便用具１１１は、指先固定部１２１が設けられたキャップ１８０を備えた形態である。キャップ１８０は、本体部１１の基端部１１Ｃに取り付けられている。本例の場合は、キャップ１８０は、基端部１１Ｃから取り外し不能に取り付けられていてもよい。指先固定部１２１は、上記各実施形態の指挿入部１２Ａと同様の形態である。指先固定部１２１は、例えば、キャップ１８０の把持部１８０Ａと一体に成形されている。その他の構成については、第１実施形態の採便用具１０と同様であるので、説明を省略する。
【００５４】
本例の採便用具１１１によれば、指先固定部１２１がキャップ１８０に設けられているため、第１実施形態のように、採便を行った後、指先固定部１２１を本体部１１から取り外したり、本体部１１にキャップ１８０を取り付けたりする必要がない。そのため、本体部１１を検体容器１６に収容する作業が簡便になる。
【００５５】
なお、本例のキャップ１８０では、把持部１８０Ａと指先固定部１２１が一体成形されており、指先固定部１２１は把持部１８０Ａから取り外し不能である。しかし、もちろん、把持部１８０Ａから指先固定部１２１が取り外せるようにしてもよい。
【００５６】
「第４実施形態」
図８に示す第４実施形態の採便用具１１２は、指挿入部をリング状とした形態である。指先固定部１２２は、例えば、指挿入部として機能するリング１２２Ａと、取付部１２２Ｂとして機能するリングの２つのリングを組み合わせた形態である。このように、指挿入部としては、指サックの代わりに、リング１２２Ａとすることも可能である。指先固定部１２２は、例えば、金属、プラスチック、ゴムなどで形成される。リング１２２Ａに指先６０Ａが挿入されて、採便用具１１２は操作される。
【００５７】
このような採便用具１１２は、指挿入部を指サックで構成する場合と比較して構造が簡単である。なお、本例では、指先固定部１２２を本体部１１に対して着脱自在な形態で構成したが、指先固定部１２２は本体部１１に対して取り外し不能に取り付けられていてもよい。この場合には、指先固定部１２２と本体部１１とを一体で形成してもよい。この場合には、例えば、指先固定部１２２と本体部１１とを、針金のような細長い金属を折り曲げて一体に形成してもよいし、あるいは、プラスチックで一体成形してもよい。
【００５８】
また、本体部１１と指先固定部１２２とを一体で形成した場合においても、指先固定部１２２を本体部１１から容易に分離できるようにしておくことが好ましい。というのも、そうしておけば、指先固定部１２２の有無で、本体部１１が未使用であるか使用済みであるかを、容易に判別させることが可能となるためである。分離可能な構成としては、例えば、指先固定部１２２を本体部１１と一体に成形した場合においては、本体部１１と指先固定部１２２の結合部分を手で破壊できる程度の強度に作成する方法がある。こうすることで、結合部分を、手で折ったり、捩ったりするなどの方法で指先固定部１２２を本体部１１から切り取ることができる。
【００５９】
「変形例１」
図９は、図８に示す第４実施形態の採便用具１１２の変形例である。採便用具１１２において、指先固定部１２２を本体部１１から分離できるようにした場合には、本体部１１の基端部１１Ｃに、容器本体１７の挿入口１７Ａを水密に封止する栓部１１Ｅを設けておくことが好ましい。栓部１１Ｅは、図２で示した栓部１８Ｂと同様の形態であり、挿入口１７Ａの内径に合わせて、基端部１１Ｃの径を一部太くして形成される。あるいは、栓部１１Ｅの周囲に渦巻き状の突条部が設けられる。栓部１１Ｅは、弾性を有しており、挿入口１７Ａに圧入されて嵌合する。これにより、挿入口１７Ａが水密に封止される。本例の栓部１１Ｅは、挿入口１７Ａを閉じるキャップに相当する。
【００６０】
図９に示す形態であれば、採便終了後、本体部１１にキャップ１８を取り付ける作業を行うことなく、そのまま、容器本体１７に本体部１１を収容するだけで、栓部１１Ｅで挿入口１７Ａを封止することができる。指先固定部１２２は、容器本体１７に本体部１１を収容したのち、基端部１１Ｃから取り外される。このように、図９に示す形態では、採便のワークフローを簡略化することができる。
【００６１】
「変形例２」
また、図１０に示すように、第４実施形態の別の変形例である採便用具１１３は、指先固定部を、指挿入部として機能するリング１２３のみで構成したものである。つまり、図１０に示す変形例は、図８及び図９に示す例と異なり、リング１２３とは別に、取付部として機能するリング部を有していない単一のリングである。リング１２３は、本体部１１とは別体である。
【００６２】
リング１２３は、本体部１１の基端部１１Ｃと指先６０Ａを含む指の両方を挿通可能な口径を有している。また、リング１２３は、基端部１１Ｃと指の両方が挿通された状態で、指とリング１２３の間に発生する摩擦力と、基端部１１Ｃとリング１２３に発生する摩擦力の作用で、基端部１１Ｃに保持される。リング１２３の口径は、こうした摩擦力を発生させることができる程度のサイズであることが好ましい。
【００６３】
図１１に示すように、採便用具１１３を使用する場合は、ユーザは、リング１２３を基端部１１Ｃに挿通し、その状態で、リング１２３内に指先６０Ａを含む指を挿入する。指先を挿入したときに、指とリング１２３との摩擦力と、基端部１１Ｃとリング１２３との摩擦力の作用で、リング１２３が基端部１１Ｃに保持される。同時にこれらの摩擦力の作用で、指先６０Ａが基端部１１Ｃに固定される。
【００６４】
指先固定部をこのような単純なリング１２３の形態にすると、図８及び図９に示す例よりもさらに構造が簡便になり、低コスト化も可能となる。なお、図９に示した栓部１１Ｅを図１１に示す採便用具１１３に設けてもよい。
【００６５】
以上、本発明の好ましい実施の形態について説明したが、本発明は上記実施の形態に限定されるものではない。例えば、本例では、採取部１１Ｂは、先端部１１Ａの周面において半周分の範囲（周方向において約１８０°程度の範囲）に渡って形成されている。しかし、採取部１１Ｂを、先端部１１Ａの周面の全周に渡って形成してもよい。また、採取部１１Ｂの溝の形状や本数など適宜変更が可能である。また、凹凸の形成方法も、線状の溝ではなく、点状の窪みで形成してもよいし、溝と窪みを組み合わせて凹凸を形成してもよい。
【００６６】
また、上記以外にも、本発明の要旨を逸脱しない範囲において、各種の改良や変形を行なって、種々の構成を採用し得ることは勿論である。
【符号の説明】
【００６７】
１０、１１０、１１１、１１２、１１３  採便用具
１１  本体部
１１Ａ  先端部
１１Ｂ  採取部
１１Ｃ  基端部
１１Ｄ  屈曲部
１１Ｅ  栓部
１２、１２１、１２２  指先固定部
１２Ａ  指挿入部
１２Ｂ  取付部
１６  検体容器
１７  容器本体
１７Ａ  挿入口
１８、１８０  キャップ
１８Ａ  キャップ本体
１８Ｂ  結合部
２１  内筒
２２  外筒
３１  便器
４１  糞便
６０  手
６０Ａ  指先
１２２Ａ  リング
１２２Ｂ  取付部
１２３  リング
１８０Ａ  キャップ本体
【図１】
0006913819.tif 000002
【図２】
0006913819.tif 000003
【図３】
0006913819.tif 000004
【図４】
0006913819.tif 000005
【図５】
0006913819.tif 000006
【図６】
0006913819.tif 000007
【図７】
0006913819.tif 000008
【図８】
0006913819.tif 000009
【図９】
0006913819.tif 000010
【図１０】
0006913819.tif 000011
【図１１】
0006913819.tif 000012